(57)【要約】【課題】ヒンジ式の扉の庫内側に配置される引き出し式の容器であって、使い勝手の良い容器を備える冷蔵庫を提供すること。【解決手段】断熱箱体７０と、断熱箱体７０の内方に配置され前面に開口部を有する野菜室２０と、野菜室２０の開口部を開閉自在に閉塞するヒンジ式の第一扉１１とを備える冷蔵庫１００であって、野菜室２０内に配置され、物品を収納する収納ケース２１と、収納ケース２１を引き出し可能に支持する引出ユニット４０とを備え、引出ユニット４０は、レール部材４２と、固定部材４１とを有し、レール部材４２が前方に移動するように固定部材４１に支持されながら固定部材４１と摺動することにより、収納ケース２１の後端Ａの前後方向の位置が、冷蔵庫の他の構成部であって収納ケース２１の上方の構成部の前端Ｂよりも前方の位置となるまで伸長する。【選択図】図５
2011214724.tif 000002
【特許請求の範囲】
【請求項１】
外箱と内箱と前記外箱および前記内箱の間に設けた断熱材とからなる断熱箱体と、前記断熱箱体の内方に配置され前面に開口部を有する貯蔵室と、前記貯蔵室の前記開口部を開閉自在に閉塞するヒンジ式の扉とを備える冷蔵庫であって、前記貯蔵室内に配置され、物品を収納する容器と、前記容器を上下方向に着脱可能に支持し、かつ、伸縮することで前記容器を引き出し可能に支持する引出軌道手段とを備え、前記引出軌道手段は、前後方向に長尺状であり前記容器の左右方向の両端部それぞれに着脱可能に取り付けられるレール部材と、前記レール部材を前後方向に摺動可能に支持し、前記貯蔵室内に固定される固定部材とを有し、前記レール部材が前方に移動するように前記固定部材に支持されながら前記固定部材と摺動することにより、前記容器の後端の前後方向の位置が、前記冷蔵庫の他の構成部であって前記容器の上方の構成部の前端よりも前方の位置となるまで伸長する冷蔵庫。
【請求項２】
さらに、前記貯蔵室の上に配置され前面に開口部を有する他の貯蔵室と、前記他の貯蔵室の開口部を開閉自在に閉塞する他の扉とを備え、前記引出軌道手段は、前記容器の後端の前後方向の位置が、前記冷蔵庫の他の構成部であって前記容器の上方の構成部の前端である前記他の扉の前面よりも前方に位置するまで伸長する請求項１に記載の冷蔵庫。
【請求項３】
さらに、前記貯蔵室の上に配置され前面に開口部を有する他の貯蔵室と、前記断熱箱体の内方の空間を上下に仕切ることにより前記貯蔵室と前記他の貯蔵室とを区画する仕切体とを備え、前記扉は、前記貯蔵室の開口部を開閉自在に閉塞するとともに、前記他の貯蔵室の開口部を開閉自在に閉塞する一つの扉であり、前記引出軌道手段は、前記容器の後端の前後方向の位置が、前記冷蔵庫の他の構成部であって前記容器の上方の構成部の前端である前記仕切体の前端よりも前方に位置するまで伸長する請求項１に記載の冷蔵庫。
【発明の詳細な説明】
【技術分野】
【０００１】
本発明は、冷蔵庫に関し、特に引き出し式の容器を備える冷蔵庫に関する。
【背景技術】
【０００２】
従来、冷蔵庫は、奥まで無駄なく貯蔵できる、使い勝手がよい等の観点から、引き出し式の容器を備えることが多い。このような引き出し式の容器には各種の食品等が収納されるため、これら食品等の出し入れの容易性が求められている。
【０００３】
また、容器の清掃等を行う場合、容器を冷蔵庫から取り外す必要がある。そのため、容器の冷蔵庫からの取り外しおよび冷蔵庫への取り付けの容易性も求められている。
【０００４】
そこで、引き出し式の容器の使い勝手を向上させる技術も開示されている（例えば、特許文献１参照）。
【０００５】
図８は、従来の冷蔵庫３００における引き出し式の容器２０６の周辺の構造を示す図である。
【０００６】
図８に示すように、従来の冷蔵庫３００は箱体２０８を備える。箱体２０８内の空間は、２枚の仕切壁２０８ａで区画されている。これにより、箱体２０８内に、貯蔵室２２０、貯蔵室２３０、および貯蔵室２４０が形成されている。
【０００７】
貯蔵室２２０の前面の開口部２０４には扉２０２が設けられており、扉２０２の上下方向の中央部付近にはフレーム２０３が連結されている。
【０００８】
貯蔵室２２０の内部に収容された容器２０６は、フランジ部２０５を有する。フレーム２０３は、フランジ部２０５により容器２０６を着脱可能に支持している。
【０００９】
使用者により、扉２０２が引っ張られると、フレーム２０３に設けられた係止突部２０３ａがローラ２０７と当接するまで、フレーム２０３に支持されている容器２０６が引き出される。
【００１０】
このような容器２０６の周囲の構造において、容器２０６はフランジ部２０５の後端下部に傾斜面２１０ａを有する傾斜部２１０を有している。
【００１１】
これにより、図８に示すように、容器２０６と扉２０２とが干渉することなく容器２０６を冷蔵庫３００から取り出すことができる角度まで、容器２０６を傾けることができる。
【００１２】
使用者は、このように容器２０６を傾けることで、容器２０６を冷蔵庫３００から取り外すことができる。
【特許文献１】実開昭６２−６６９４号公報
【発明の開示】
【発明が解決しようとする課題】
【００１３】
しかしながら上記従来の冷蔵庫３００では、容器２０６を傾けながら取り出す必要があり、また、容器２０６を傾けながら貯蔵室２３０に挿入した後にフレーム２０３に取り付ける必要がある。従って、容器２０６の着脱が容易であるとは言えない。
【００１４】
また、容器２０６の最大引き出し距離も、係止突部２０３ａにより容器２０６の後部が貯蔵室２３０内に残る距離に規制されている。そのため、容器２０６内の全体を確認することは容易ではなく、容器２０６に対する食品等の出し入れも容易であるとは言えない。
【００１５】
また、引き出し式ではなく、片開きのヒンジ式の扉を備え、ヒンジ式の扉を開けて、貯蔵室の開口部から容器を引き出すタイプの冷蔵庫も存在する。
【００１６】
このような引き出し式の容器も、扉と一体に引き出される容器と同様に、食品等の出し入れの容易性および着脱の容易性等が求められている。
【００１７】
しかし、上記従来の冷蔵庫３００についての技術は、扉と一体に引き出される容器の着脱を可能とする技術である。
【００１８】
つまり、容器の着脱の邪魔となる扉が容器の前方に存在することを前提としている技術である。従って、ヒンジ式の扉を開けて引き出される容器の使い勝手を向上させるために適した技術であるとは言えない。
【００１９】
なお、容器の奥行き方向の長さを短くすることで、収納物の確認および容器に対する食品等の出し入れが容易となるとも考えられる。また、容器を引き出して垂直に持ち上げて取り外すことが可能となり、容器の着脱の容易性が向上するとも考えられる。
【００２０】
しかしこの場合、容器の容量が小さくなり、収納量が減少するという問題、および、当該容器を収容する貯蔵室内の無駄な空間が増加するという問題が発生する。
【００２１】
そのため容器の奥行き方向の長さを短くすることは容器の使い勝手を向上させる現実的な方策ではない。
【００２２】
本発明は、上記従来の課題を考慮し、ヒンジ式の扉の庫内側に配置される引き出し式の容器であって使い勝手の良い容器を備える冷蔵庫を提供することを目的とする。
【課題を解決するための手段】
【００２３】
上記従来の課題を解決するために、本発明の冷蔵庫は、外箱と内箱と前記外箱および前記内箱の間に設けた断熱材とからなる断熱箱体と、前記断熱箱体の内方に配置され前面に開口部を有する貯蔵室と、前記貯蔵室の前記開口部を開閉自在に閉塞するヒンジ式の扉とを備える冷蔵庫であって、前記貯蔵室内に配置され、物品を収納する容器と、前記容器を上下方向に着脱可能に支持し、かつ、伸縮することで前記容器を引き出し可能に支持する引出軌道手段とを備え、前記引出軌道手段は、前後方向に長尺状であり前記容器の左右方向の両端部それぞれに着脱可能に取り付けられるレール部材と、前記レール部材を前後方向に摺動可能に支持し、前記貯蔵室内に固定される固定部材とを有し、前記レール部材が前方に移動するように前記固定部材に支持されながら前記固定部材と摺動することにより、前記容器の後端の前後方向の位置が、前記冷蔵庫の他の構成部であって前記容器の上方の構成部の前端よりも前方の位置となるまで伸長する。
【００２４】
この構成により、本発明の冷蔵庫では、ヒンジ式の扉を開けると、左右それぞれをレール部材に支持された容器を引き出すことができる。
【００２５】
また、容器の最大引き出し距離は、容器の後端の前後方向の位置が、容器の上方に存在する他の構成部の前端よりも前方の位置となる距離である。
【００２６】
これにより、容器内の収納物の確認および容器に対する食品等の出し入れ自体の容易性が向上する。また、比較的大きな物品の出し入れも容易になる。
【００２７】
また、容器を引き出した場合、垂直に持ち上げることで容器を冷蔵庫から取り出すことができる。つまり、容器を冷蔵庫から容易に取り出すことができる。
【００２８】
また、容器を冷蔵庫に取り付ける場合も、左右のレール部材が伸長した状態で、これらレール部材の上方から容器を垂直に降ろすことにより、容器を冷蔵庫に取り付けることができる。つまり、容器を容易に冷蔵庫に取り付けることができる。
【００２９】
このように、本発明は、ヒンジ式の扉の庫内側に配置される引き出し式の容器であって使い勝手の良い容器を備える冷蔵庫を提供することができる。
【００３０】
また、さらに、前記貯蔵室の上に配置され前面に開口部を有する他の貯蔵室と、前記他の貯蔵室の開口部を開閉自在に閉塞する他の扉とを備え、前記引出軌道手段は、前記容器の後端の前後方向の位置が、前記冷蔵庫の他の構成部であって前記容器の上方の構成部の前端である前記他の扉の前端よりも前方に位置するまで伸長するとしてもよい。
【００３１】
この構成により、引き出された容器の上方に他の貯蔵室の扉が存在する場合であっても、容器の後端の前後方向の位置が、上の貯蔵室の扉の前面よりも前方の位置となるまで容器を引き出すことができる。これにより、当該容器に対する食品等の出し入れが容易となり、かつ、当該容器の冷蔵庫に対する着脱が容易となる。
【００３２】
また、さらに、前記貯蔵室の上に配置され前面に開口部を有する他の貯蔵室と、前記断熱箱体の内方の空間を上下に仕切ることにより前記貯蔵室と前記他の貯蔵室とを区画する仕切体とを備え、前記扉は、前記貯蔵室の開口部を開閉自在に閉塞するとともに、前記他の貯蔵室の開口部を開閉自在に閉塞する一つの扉であり、前記引出軌道手段は、前記容器の後端の前後方向の位置が、前記冷蔵庫の他の構成部であって前記容器の上方の構成部の前端である前記仕切体の前端よりも前方に位置するまで伸長するとしてもよい。
【００３３】
この構成により、二つの貯蔵室の開閉のために一つのヒンジ式の扉が配置された場合であっても、下の貯蔵室に収容された容器は、容器の後端の前後方向の位置が、仕切体の前端よりも前方の位置となるまで容器を引き出すことができる。これにより、当該容器に対する食品等の出し入れが容易となり、かつ、当該容器の冷蔵庫に対する着脱が容易となる。すなわち、たとえば上の貯蔵室の扉の前面よりは後方であっても、仕切体の前端面よりは前方の位置まで容器の後端が位置することで、容器を鉛直上方に持ち上げて、あるいは、下ろして着脱するところまでは至らなくとも、容器をやや傾けながら比較的容易に着脱することができる。
【００３４】
また、当該貯蔵室の扉を開いた際に、その上部に別の扉を備えた貯蔵室が存在しない場合や、当該貯蔵室内の下部のスペースに容器が備えられて容器の上方には貯蔵空間が形成される場合などは、当該貯蔵室の扉をいて容器を引き出すときに、仕切体の前端面より前方の位置まで容器の後端が位置することで、当該貯蔵室の扉を開けば容器を鉛直上方に持ち上げて、あるいは、下ろして着脱することができる。
【発明の効果】
【００３５】
本発明は、ヒンジ式の扉の庫内側に配置される引き出し式の容器であって使い勝手の良い容器を備える冷蔵庫を提供することができる。
【発明を実施するための最良の形態】
【００３６】
以下、本発明の冷蔵庫の実施の形態について、図面を参照しながら説明する。なお、この実施の形態によってこの発明が限定されるものではない。
【００３７】
（実施の形態１）
図１は、本発明の実施の形態１の冷蔵庫１００の正面図である。
【００３８】
図１に示すように冷蔵庫１００は、２つの扉を備える冷蔵庫であり、断熱箱体７０内に３つに区画された貯蔵室を備えている。
【００３９】
断熱箱体７０は、ＡＢＳなどの樹脂体を真空成型した内箱７１とプリコート鋼板などの金属材料を用いた外箱７２とで構成された空間に発泡断熱材７３が充填された断熱壁で構成されている。
【００４０】
断熱箱体７０内には、上述の３つの貯蔵室が備えられている。具体的には冷蔵庫１００は、冷蔵室１０、野菜室２０、および冷凍室３０を備えている。なお、図では矩形の点線がそれぞれの貯蔵室の開口部を表している。また、野菜室２０には、後述する引き出し式の容器が収容されている。
【００４１】
各貯蔵室の開口部には、例えばウレタンのような発泡断熱材を発泡充填した断熱扉が設けられている。
【００４２】
具体的には、冷蔵室１０および野菜室２０の開口部を開閉自在に閉塞するヒンジ式の第一扉１１が設けられている。第一扉１１は向かって左の端部にヒンジが設けられており、縦方向の回動軸を中心に回動する。なお、第一扉１１は、本発明の冷蔵庫における、ヒンジ式の扉の一例である。
【００４３】
また、冷凍室３０には、引き出し式の第二扉３１が設けられている。
【００４４】
このような基本構成を有する本実施の形態の冷蔵庫１００では、冷蔵室１０は直接冷却方式により冷却され、野菜室２０および冷凍室３０は間接冷却方式により冷却される。
【００４５】
図２は、本実施の形態１の冷蔵庫１００の縦断面図である。
【００４６】
図２に示すように、断熱箱体７０内において、冷蔵室１０と野菜室２０とは、上仕切体１５により仕切られている。また、野菜室２０と冷凍室３０とは下仕切体２５により仕切られている。
【００４７】
また、冷蔵庫１００は、２つの冷却器を備えている。具体的には、冷蔵室１０の奥面１０ａの裏側に第一冷却器１２を備えている。冷蔵室１０の奥面１０ａは第一冷却器１２からの熱伝導によって冷却される。冷蔵室１０内の空気は、この冷却された奥面１０ａにより冷却される。
【００４８】
第一冷却器１２は、冷却パイプ１２ａと金属板１２ｂとを有する。冷蔵室１０の奥面１０ａは、奥面１０ａの裏側に接するように取り付けられた金属板１２ｂにより直接的に冷却される。
【００４９】
また、冷蔵庫１００は、冷凍室３０の奥面の裏側に第二冷却器３２を備える。冷凍室３０内は、第二冷却器３２から放出される冷気が循環することにより冷却される。
【００５０】
第二冷却器３２から放出される冷気は、野菜室２０にも供給され、ダンパーの開閉制御により、例えば、冷蔵室１０の温度帯と冷凍室３０の温度帯との間の温度帯に維持される。
【００５１】
また、野菜室２０には、引き出し式の収納ケース２１が収容されており、使用者は、第一扉１１を開くことにより、収納ケース２１を引き出すことができる。なお、収納ケース２１は本発明の冷蔵庫における容器の一例である。
【００５２】
本実施の形態の冷蔵庫１００は、収納ケース２１に対する食品等の出し入れが容易であり、かつ、収納ケース２１の着脱を容易に行うことができるという特徴を有する。以下に、収納ケース２１およびその引き出し構成について図３から図５を用いて説明する。
【００５３】
図３は、本実施の形態１における収納ケース２１の外観を示す拡大斜視図である。
【００５４】
図３に示すように、収納ケース２１はレール部材４２に支持されている。また、レール部材４２は前後方向に長尺状であり、野菜室２０内に固定される固定部材４１により前後方向に摺動可能に支持されている。
【００５５】
具体的には、収納ケース２１は、左右方向の両端部、より詳しくは収納ケース２１の下部であって左右方向の両端部それぞれに庫外側に突出した保持部２３を有する。
【００５６】
また、保持部２３には、レール部材４２に収納ケース２１を着脱可能に取り付けるための取付穴２３ａが配置されている。
【００５７】
レール部材４２には、上方に突出し取付穴２３ａと係合する突出部４３が設けられている。収納ケース２１の左右のレール部材４２の突出部４３のそれぞれは、取付穴２３ａに挿抜可能である。
【００５８】
これにより、引出ユニット４０は、収納ケース２１は上下方向に着脱可能に支持している。
【００５９】
また、収納ケース２１は、収納ケース２１の側方から収納ケース２１内の収納物を確認可能な光透過性のある樹脂で形成されている。つまり、収納ケース２１は、透明度の比較的高い樹脂で作成されている。
【００６０】
これにより、例えば、収納ケース２１に収納されている食品の種類および数などを、収納ケース２１の側方から容易に確認することができる。
【００６１】
また、収納ケース２１の上部かつ後部には、小物ケース２２が着脱可能に取り付けられている。これにより、例えば、収納ケース２１と小物ケース２２との使い分けが可能になる。また、例えば、収納ケース２１に重量の大きな食品を収納した場合の収納ケース２１の歪み量が小物ケース２２により抑制される。
【００６２】
なお、引出ユニット４０は、本発明の冷蔵庫における引出軌道手段の一例であり、収納ケース２１の左右のレール部材４２と固定部材４１とにより構成されている。
【００６３】
図４は、本実施の形態１における収納ケース２１と引出ユニット４０とを示す平面断面図である。
【００６４】
図４に示すように、引出ユニット４０は、収納ケース２１の左右それぞれに配置された、固定部材４１とレール部材４２とを有している。
【００６５】
また、２つのレール部材４２のそれぞれは、ミドルレール４２ａと支持レール４２ｂとから構成されている。
【００６６】
支持レール４２ｂは、収納ケース２１を直接的に支持するレールであり、ミドルレール４２ａに対して前後方向に摺動可能である。また、ミドルレール４２ａは固定部材４１に対して前後方向に摺動可能である。
【００６７】
レール部材４２がこのような構成であることにより、引出ユニット４０全体として前後方向に伸縮することができる。
【００６８】
つまり、第一扉１１が、ヒンジの回動軸５０を中心に図４に示すように回動した場合、つまり、第一扉１１が開かれた場合、収納ケース２１が使用者に引っ張られることにより、引出ユニット４０が伸長し、収納ケース２１は野菜室２０から引き出される。
【００６９】
また、収納ケース２１の最大引き出し距離は、収納ケース２１の使い勝手を向上させる距離である。
【００７０】
図５は、本実施の形態１における収納ケース２１の最大引き出し距離を示す概要図である。
【００７１】
図５に示すように、引出ユニット４０は、収納ケース２１の後端Ａの前後方向（図５における左右方向）の位置が、収納ケース２１の上方の上仕切体１５の前端Ｂよりも前方に位置するまで伸長する。
【００７２】
なお、本実施の形態にける上仕切体１５は、本発明の冷蔵庫における容器の上方の構成部の一例である。
【００７３】
これにより、使用者は、収納ケース２１内に何が収容されているかを容易に確認することができる。また、収納ケース２１に食品を収める場合に、その収容位置が収納ケース２１内のどの位置であっても、容易に収めることができる。
【００７４】
また、使用者は、収納ケース２１から食品等を取り出す場合に、その食品の収容位置が収納ケース２１内のどの位置であっても、容易に取り出すことができる。
【００７５】
また、収納ケース２１に対し、比較的大きな食品を出し入れすることも可能となる。
【００７６】
さらに、使用者は、収納ケース２１を傾けるなど、上仕切体１５を避けるための動作をすることなく、収納ケース２１を垂直に持ち上げるだけで、収納ケース２１を冷蔵庫１００から取り出すことができる。
【００７７】
また、使用者は、図５に示すように引出ユニット４０が伸長している状態で、収納ケース２１をレール部材４２上方から降ろす動作をするだけで、収納ケース２１を引出ユニット４０に取り付けることができる。
【００７８】
このように、本実施の形態の冷蔵庫１００は、野菜室２０に収容された引き出し式の収納ケース２１を備える。また、その最大引き出し距離は、収納ケース２１の後端Ａの前後方向の位置が、収納ケース２１の上方の上仕切体１５の前端Ｂよりも前方に位置する距離である。
【００７９】
これにより、使用者は、収納ケース２１内の収納物の確認および収納ケース２１に対する食品等の出し入れを容易に行うことができる。
【００８０】
また、収納ケース２１の着脱が容易であるということは、収納ケース２１の清掃の容易性が向上することをも意味し、食品が収納される収納ケース２１を清浄に保つ上で非常に有用である。
【００８１】
このように、本実施の形態の冷蔵庫１００は、ヒンジ式の第一扉１１の庫内側に配置される引き出し式の収納ケース２１であって使い勝手の良い収納ケース２１を備える冷蔵庫１００である。
【００８２】
（実施の形態２）
実施の形態２として、扉を三つ備える冷蔵庫について説明する。
【００８３】
図６は、本発明の実施の形態２の冷蔵庫２００の正面図である。
【００８４】
図６に示すように冷蔵庫２００は、三つの扉を備える冷蔵庫であり、断熱箱体１７０内に三つの貯蔵室を備えている。
【００８５】
具体的には冷蔵庫２００は、冷蔵室１１０、室内の温度が変更可能な野菜室１２０、および冷凍室１３０を備えている。
【００８６】
各貯蔵室の開口部には断熱扉が設けられている。具体的には冷蔵庫２００は、冷蔵室１１０の開口部を開閉自在に閉塞する上扉１１１と、野菜室１２０の開口部を開閉自在に閉塞する中扉１２１と、冷凍室１３０の開口部を開閉自在に閉塞する下扉１３１とを備える。図では矩形の点線がそれぞれの貯蔵室の開口部を表している。
【００８７】
また、上扉１１１および中扉１２１は、ヒンジ式の扉であり、それぞれ、向かって左の端部にヒンジが設けられており、縦方向の回動軸を中心に回動する。
【００８８】
なお、中扉１２１は、本発明の冷蔵庫におけるヒンジ式の扉の別の一例である。また、上扉１１１は、本発明の冷蔵庫における他の扉の一例である。
【００８９】
また、上記３つの貯蔵室のそれぞれの冷却方式は、実施の形態１と同じである。すなわち、冷蔵室１１０は直接冷却方式により冷却され、野菜室１２０および冷凍室１３０は間接冷却方式により冷却される。
【００９０】
さらに、野菜室１２０には、実施の形態１と同じく、引き出し式の収納ケース２１が収容されており、後述する引出ユニット１４０に着脱可能に支持されている。
【００９１】
しかし、実施の形態２の冷蔵庫２００は、実施の形態１の冷蔵庫１００とは異なり、冷蔵室１１０と野菜室１２０のそれぞれに扉が備えられている。
【００９２】
つまり、収納ケース２１を引き出す場合に、上扉１１１が閉められている状態で中扉１２１を開けると、収納ケース２１の、野菜室１２０の開口部から引き出された部分の上方には上扉１１１が存在する。
【００９３】
そのため、実施の形態２における収納ケース２１の最大引き出し距離は、実施の形態１における収納ケース２１の最大引き出し距離と異なる。
【００９４】
図７は、本実施の形態２における収納ケース２１の最大引き出し距離を示す概要図である。
【００９５】
図７に示すように、収納ケース２１は、上下を上仕切体１１５と下仕切体１２５とにより仕切られた野菜室１２０に配置されており、引出ユニット１４０に支持されている。
【００９６】
なお、引出ユニット１４０の基本的な構成は、実施の形態１の引出ユニット４０と同じく、収納ケース２１の左右（図７において奥側と手前側）それぞれに配置された固定部材１４１とレール部材１４２とを有する。
【００９７】
また、レール部材１４２は、互いに摺動する二つのレールで構成されている。レール部材１４２には突出部１４３が設けられており、収納ケース２１の取付穴２３ａに出し入れ可能に係合する。つまり、収納ケース２１は上下方向にレール部材１４２に着脱可能に支持されている。
【００９８】
このように、引出ユニット１４０は、実施の形態１の引出ユニット４０と基本的な構成は同じである。しかし、引出ユニット１４０は、収納ケース２１の最大引き出し距離が、実施の形態１の引出ユニット４０による最大引き出し距離よりも長くなるよう構成されている。
【００９９】
具体的には、引出ユニット１４０は、収納ケース２１の後端Ａの前後方向（図７における左右方向）の位置が、収納ケース２１の上方の上扉１１１の前面Ｃよりも前方に位置するまで伸長する。
【０１００】
これにより、使用者は、収納ケース２１の内容物の確認および収納ケース２１に対する食品等の出し入れを容易に行うことができる。また、収納ケース２１に対し、比較的大きな食品を出し入れすることも可能となる。
【０１０１】
また、収納ケース２１を最大引き出し距離まで引き出して、収納ケース２１を持ち上げることによりレール部材１４２から取り外す場合、収納ケース２１が、他の構成部である上扉１１１と干渉することがない。
【０１０２】
つまり、実施の形態１と同じく、使用者は、上扉１１１を避けるための動作をすることなく、収納ケース２１を上方に持ち上げる動作のみで、収納ケース２１をレール部材１４２から取り外すことができる。
【０１０３】
また、使用者は収納ケース２１をレール部材４２に向かって降ろす動作のみで、収納ケース２１をレール部材１４２に取り付けることができる。
【０１０４】
このように、本実施の形態の冷蔵庫２００は、ヒンジ式の中扉１２１の庫内側に配置される引き出し式の収納ケース２１であって使い勝手の良い収納ケース２１を備える冷蔵庫２００である。
【０１０５】
なお、引出ユニット１４０は、収納ケース２１の後端Ａの前後方向の位置が、上仕切体１１５の前端と、上扉１１１の前面Ｃとの間に位置するまで伸長してもよい。
【０１０６】
これは、収納ケース２１が最大引き出し位置にある状態において、収納ケース２１の後端Ａの前後方向の位置が上扉１１１の前面Ｃよりも前方に位置しない場合であっても、後端Ａが上仕切体１１５の前端よりも前方に位置すれば、従来よりも収納ケース２１の使い勝手は向上するからである。
【０１０７】
つまり、上扉１１１が収納ケース２１の使い勝手の向上を妨げる実質的な障害とはならない場合があるからである。
【０１０８】
例えば、収納ケース２１の前端を上に持ち上げて僅かに前方に移動させることで、収納ケース２１の後端部を上扉１１１と干渉させることなく、収納ケース２１を冷蔵庫２００から取り出すことができる。
【０１０９】
すなわち、収納ケース２１の取り出しに必要な動作は、収納ケース２１を垂直に持ち上げる動作のみではない。しかし、特に上扉１１１の厚みが比較的薄い場合などでは、収納ケース２１を取り出す際に必要な、上扉１１１を避けるための動作はごく僅かである。
【０１１０】
また、収納ケース２１の後端Ａの前後方向の位置が、上仕切体１１５の前端よりも前方にある場合、収納ケース２１のほとんどと言っていい部分が冷蔵庫２００外に引き出されていることになる。
【０１１１】
そのため、上扉１１１の存在が、内容物の確認および食品等の出し入れの容易性を著しく低下させるほどの障害とはならない。
【０１１２】
このように、引出ユニット１４０が、収納ケース２１の後端Ａの前後方向の位置が、上仕切体１１５の前端と、上扉１１１の前面Ｃとの間に位置するまで伸長する場合であっても、収納ケース２１の使い勝手は、従来の引き出し式の容器よりも良いと言える。
【０１１３】
すなわち、たとえば上の貯蔵室の扉の前面よりは後方であっても、仕切体の前端面よりは前方の位置まで容器の後端が位置することで、容器を鉛直上方に持ち上げて、あるいは、下ろして着脱するところまでは至らなくとも、容器をやや傾けながら比較的容易に着脱することができる。
【０１１４】
また、当該貯蔵室の扉を開いた際に、その上部に別の扉を備えた貯蔵室が存在しない場合や、当該貯蔵室内の下部のスペースに容器が備えられて容器の上方には貯蔵空間が形成される場合などは、当該貯蔵室の扉をいて容器を引き出すときに、仕切体の前端面より前方の位置まで容器の後端が位置することで、当該貯蔵室の扉を開けば容器を鉛直上方に持ち上げて、あるいは、下ろして着脱することができる。
【０１１５】
このようにして、容器内の視認性が従来と比べて実用上十分に高められると同時に、容器の着脱性は実質的に極めて良好なものとなり、容器を取り外して洗浄し、衛生的な環境に保ちたいという近年高まる消費者ニーズに即した、使い勝手のよい引き出し容器構造を提供できる実用効果の高いものとなる。
【０１１６】
以上説明した実施の形態１および２において、３つの貯蔵室の冷却方式として、直接冷却方式と間接冷却方式とが採用されているとした。しかし、本発明の実施に際し、各貯蔵室の冷却方式は特定なものに限定されない。
【０１１７】
例えば、実施の形態１の冷蔵庫１００において、冷蔵室１０、野菜室２０および冷凍室３０の全てが間接冷却方式により冷却されてもよい。実施の形態２の冷蔵庫２００についても同様である。
【０１１８】
また、各貯蔵室の種類も実施の形態１および２で説明した種類に限定されない。例えば、野菜室２０および野菜室１２０が、使用者が温度帯の設定が可能な変温室と呼ばれる貯蔵室であってもよい。
【０１１９】
また、第一扉１１および中扉１２１等のヒンジ式の扉は、いわゆる片開き式の扉である。しかしながら、第一扉１１および中扉１２１等のヒンジ式の扉は、左右に並ぶ２枚の扉板のそれぞれが、外側の端辺付近の回動軸を中心に回動する観音開き式の扉であってもよい。
【０１２０】
つまり、２枚の扉板により一つの第一扉１１が構成されていてもよい。中扉１２１も同様である。
【０１２１】
つまり、本発明の効果である収納ケース２１の使い勝手の向上という効果は、貯蔵室の種類および冷却方式等に依存することなく発揮される。
【産業上の利用可能性】
【０１２２】
本発明は、ヒンジ式の扉の庫内側に配置される引き出し式の容器であって、使い勝手の良い容器を備える冷蔵庫を提供することができる。従って、本発明は、家庭用および業務用など様々な種類および大きさの冷蔵庫等として有用である。
【図面の簡単な説明】
【０１２３】
【図１】本発明の実施の形態１の冷蔵庫の正面図
【図２】同実施の形態１の冷蔵庫の縦断面図
【図３】同実施の形態１における収納ケースの外観を示す拡大斜視図
【図４】同実施の形態１における収納ケースと引出ユニットとを示す平面断面図
【図５】同実施の形態１における収納ケースの最大引き出し距離を示す概要図
【図６】本発明の実施の形態２の冷蔵庫の正面図
【図７】同実施の形態２における収納ケースの最大引き出し距離を示す概要図
【図８】従来の冷蔵庫における引き出し式の容器の周辺の構造を示す図
【符号の説明】
【０１２４】
１０、１１０  冷蔵室
１０ａ  奥面
１１  第一扉
１２  第一冷却器
１２ａ  冷却パイプ
１２ｂ  金属板
１５、１１５  上仕切体
２０、１２０  野菜室
２１  収納ケース
２２  小物ケース
２３  保持部
２３ａ  取付穴
２５、１２５  下仕切体
３０、１３０  冷凍室
３１  第二扉
３２  第二冷却器
４０、１４０  引出ユニット
４１、１４１  固定部材
４２、１４２  レール部材
４２ａ  ミドルレール
４２ｂ  支持レール
４３、１４３  突出部
５０  回動軸
７０、１７０  断熱箱体
７１  内箱
７２  外箱
７３  発泡断熱材
１００、２００  冷蔵庫
１１１  上扉
１２１  中扉
１３１  下扉
【図１】
2011214724.tif 000003
【図２】
2011214724.tif 000004
【図３】
2011214724.tif 000005
【図４】
2011214724.tif 000006
【図５】
2011214724.tif 000007
【図６】
2011214724.tif 000008
【図７】
2011214724.tif 000009
【図８】
2011214724.tif 000010